(57)【要約】【課題】シャットダウン処理を行う場合でも、退避データの保存を確実に行うことができ、かつ、リレーの電流容量を大幅に低減することによりリレー本体やリレー回路を小型化することができ、シャットダウン処理時の全体の消費電力を低減することができる。【解決手段】交流電力を断接するリレー回路１６が接状態のときに供給される交流電力を直流電力に変換し、該直流電力をＰＣコントローラ部２に供給するシャットダウン電源１４と、交流電力を断接するＡＣ＿ＳＷ１７が接状態のときに供給される交流電力を直流電力に変換し、該直流電力をＰＣコントローラ部２を除く回路手段に供給する通常電源１５と、を備え、ＰＣコントローラ部２は、起動中にＡＣ＿ＳＷ１７が断状態になった場合に、シャットダウン処理を行うように制御し、該シャットダウン処理が終了したときにリレー回路１６を断状態とするように制御する。【選択図】図１
2014225190.tif 000002
【特許請求の範囲】
【請求項１】
画像情報を表示する情報表示装置であって、
制御手段と、
交流電力を断接する断接手段と、
前記断接手段が接状態のときに供給される交流電力を第１直流電力に変換し、該第１直流電力を前記制御手段に供給する第１電源と、
交流電力を断接する手動スイッチと、
前記手動スイッチが接状態のときに供給される交流電力を第２直流電力に変換し、該第２直流電力を前記制御手段を除く回路手段に供給する第２電源と、を備え、
前記制御手段は、起動中に前記手動スイッチが断状態になった場合に、シャットダウン処理を行うように制御し、該シャットダウン処理が終了したときに前記断接手段を断状態とするように制御することを特徴とする情報表示装置。
【請求項２】
前記断接手段は、前記手動スイッチ、及び／又は、前記制御手段により制御されることを特徴とする請求項１に記載の情報表示装置。
【請求項３】
前記制御手段は、起動中に前記手動スイッチが断状態になった場合に、前記シャットダウン状態を記憶するように制御し、前記第２電源を起動した際に、前記シャットダウン処理を行ったことを報知する手段を有することを特徴とする請求項１又は２に記載の情報表示装置。
【請求項４】
前記制御手段は、オペレーションシステムの管理の元に実行されているアプリケーションソフトウエアに定期的に信号を送出させるウォッチドッグタイマを備え、
前記制御手段は、前記アプリケーションソフトウエアが前記シャットダウン処理中にハングアップした場合に、前記ウォッチドッグタイマからの信号により前記断接手段を断状態とするように制御することを特徴とする請求項１又は２に記載の情報表示装置。
【請求項５】
前記制御手段は、外部から画像情報を取り込む画像取得手段を備え、
前記制御手段は、該画像取得手段に供給される第２直流電力を前記手動スイッチにより断接することを特徴とする請求項１又は２に記載の情報表示装置。
【請求項６】
前記画像取得手段により取り込んだ画像情報を表示する表示手段を備え、
前記第２電源を前記表示手段に供給することを特徴とする請求項５に記載の情報表示装置。
【請求項７】
前記第１電源から前記制御手段へ供給される第１直流電力の断接状態を指示する制御電源断接指示手段を備え、
前記制御手段は、前記制御電源断接指示手段が断状態になったときにシャットダウン処理を行うように制御することを特徴とする請求項１に記載の情報表示装置。
【発明の詳細な説明】
【技術分野】
【０００１】
本発明は、情報表示装置に関し、特にシャットダウン処理時のデータバックアップに関わる回路部への好適な電源供給手順を有する情報表示装置に関する。
【背景技術】
【０００２】
情報表示装置と接続するＰＣでは、データの保存を目的としてＨＤＤやＳＳＤなどを利用している。これらの装置において、データ保護を行うために、データ保護処理を行ってから電源を切る処理は公知の技術である。
【０００３】
また家庭用または業務用の電源コンセントから供給される交流電源のためのＡＣスイッチやリレー回路などを利用して、シャットダウン処理終了後は物理的に回路を切り離すような処理も既に知られている。
従来技術として特許文献１には、画像形成装置のハードディスク保護の目的で、電源スイッチに並列にリレーを接続し、電源スイッチが切れた後、リレー回路経由で電力を供給する方法について開示されている。
【発明の概要】
【発明が解決しようとする課題】
【０００４】
上述したように、特許文献１には、シャットダウン処理時にリレー回路により電力を供給する点が開示されている。しかし、特許文献１では、機器の消費電力が大きい場合、その電力に対応する電流を断接するためのリレーの電流容量が大きくなりリレー本体が大型化することになり、リレー回路のコストアップが避けられないという問題がある。
【０００５】
また、上述したような機能を有する電子情報ボードでは、データやプログラムの保護が重要であり、通常のＰＣのようにＨＤＤを保護する回路を備えているものもある。
しかし、今までのＰＣのような保護回路では、シャットダウン処理後も一部の電源が入っているため電力が消費され、ディスプレイを備えた電子黒板のような装置では待機電力が大きくなってしまう問題があった。
【０００６】
これを防ぐために、ＡＣスイッチを備えてユーザの操作により完全に回路を切り離す方法もあるが、シャットダウン処理を終了する前にＡＣスイッチを切断してしまい、誤ってデータやプログラムを消去してしまうという問題があった。
【０００７】
また、リレー回路を利用してシャットダウン処理を検知した後に回路を分断するような装置の場合、その電力に対応する電流を断接するためのリレーの電流容量が大きくなりリレー本体が大型化することなり全体の消費電力が大きくなるばかりでなく、リレー回路のコストアップが避けられないという問題があった。
【０００８】
そこで、シャットダウン処理を行う場合でも、退避データの保存を確実に行うことができ、かつ、リレーの電流容量を大幅に低減することによりリレー本体やリレー回路を小型化することができ、シャットダウン処理時の全体の消費電力を低減することができる情報表示装置が提供されることが切望されている。
【０００９】
本発明は、上記に鑑みてなされたもので、その目的としては、シャットダウン処理を行う場合でも、退避データの保存を確実に行うことができ、かつ、リレーの電流容量を大幅に低減することによりリレー本体やリレー回路を小型化することができ、シャットダウン処理時の全体の消費電力を低減することができる情報表示装置を提供することにある。
【課題を解決するための手段】
【００１０】
上記課題を解決するため、請求項１記載の発明は、画像情報を表示する情報表示装置であって、制御手段と、交流電力を断接する断接手段と、前記断接手段が接状態のときに供給される交流電力を第１直流電力に変換し、該第１直流電力を前記制御手段に供給する第１電源と、交流電力を断接する手動スイッチと、前記手動スイッチが接状態のときに供給される交流電力を第２直流電力に変換し、該第２直流電力を前記制御手段を除く回路手段に供給する第２電源と、を備え、前記制御手段は、起動中に前記手動スイッチが断状態になった場合に、シャットダウン処理を行うように制御し、該シャットダウン処理が終了したときに前記断接手段を断状態とするように制御することを特徴とする。
【発明の効果】
【００１１】
本発明によれば、交流電力を断接する断接手段が接状態のときに供給される交流電力を第１直流電力に変換し、該第１直流電力を制御手段に供給する第１電源と、交流電力を断接する手動スイッチが接状態のときに供給される交流電力を第２直流電力に変換し、該第２直流電力を制御手段を除く回路手段に供給する第２電源と、を備え、起動中に手動スイッチが断状態になった場合に、シャットダウン処理を行うように制御し、該シャットダウン処理が終了したときに断接手段を断状態とするように制御することで、シャットダウン処理を行う場合でも、退避データの保存を確実に行うことができ、かつ、断接手段の電流容量を大幅に低減することにより断接手段本体や断接手段の回路構成を小型化することができ、シャットダウン処理時の全体の消費電力を低減することができる。
【図面の簡単な説明】
【００１２】
【図１】第１実施形態に係る情報表示装置の通常の待機状態の構成を表したブロック図である。
【図２】第１実施形態に係る情報表示装置のＡＣ＿ＳＷをＯＮした直後の状態を表したブロック図である。
【図３】第１実施形態に係る情報表示装置のＡＣ＿ＳＷがＯＮでＰＣコントローラ部が起動していない状態を表したブロック図である。
【図４】第１実施形態に係る情報表示装置のＰＣコントローラ部が起動しているときに、ＡＣ＿ＳＷがＯＦＦされた場合のシャットダウン処理時の動作を表したブロック図である。
【図５】図１から図４に示した状態の状態遷移を表した図である。
【図６】第２実施形態に係る情報表示装置のブロック図である。
【図７】本実施形態の情報表示装置の起動状態の動作を説明するためのフローチャートである。
【図８】本実施形態の情報表示装置のシャットダウン状態の動作を説明するためのフローチャートである。
【図９】従来の電子情報ボードの典型的な外観を示す図である。
【発明を実施するための形態】
【００１３】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
【００１４】
本発明の実施形態について以下に説明する。本発明は、電源遮断回路に関して以下の特徴を有する。即ち、本発明の装置では、電源の供給経路としてＡＣスイッチ経由と、リレースイッチ経由の２種類を備える。ＡＣスイッチ経由では、ディスプレイ装置などに電源を供給し、リレー回路経由ではＨＤＤ、ＳＳＤといった補助記憶装置とその周辺の回路に電源を供給する。本発明においては、ＡＣスイッチをＯＮにした際、その信号を検知してリレーをＯＮにして、補助記憶装置とその周辺回路に電源を投入する。
【００１５】
また、ＡＣスイッチがＯＦＦになった場合、ＡＣスイッチに接続されているディスプレイなどの装置は電源がＯＦＦされるが、補助記憶装置とその周辺回路はリレーにより電源が供給され続ける。
【００１６】
その後、ＡＣスイッチがＯＦＦされた際、その状態を検知して、補助記憶装置に対してシャットダウン処理を開始し、シャットダウン処理が終了した後は、リレーの回路をＯＦＦする。これにより、リレー回路にかかるコストを最小限に抑えながら、シャットダウン回路を利用したハードディスクなど補助記憶装置のデータ保護を行うことができる。
【００１７】
例えば、情報表示装置の一例としては、液晶やプラズマなどのフラットパネルやプロジェクタを用いた例えば４０インチ〜８０インチ程度のサイズのディスプレイにタッチパネルを搭載した、いわゆる「電子情報ボード」について、説明する。図９は従来の電子情報ボードの典型的な外観を示す図である。これらの電子情報ボード５２はパソコン５０、５１を接続することによって、接続したパソコン５０、５１の画面を拡大して表示することができるため、企業や行政機関の会議におけるプレゼンテーション、教育機関等で用いられている。
【００１８】
即ち、電子情報ボード５２にタッチパネル機能を搭載することにより、表示されている画面にマウス操作の代わりに直接タッチすることで、タッチパネルを介してパソコン５０、５１を操作することができる機能が提供されている。
さらに、接続したパソコン５０、５１上で電子情報ボード５２の表示画像を操作することができる電子黒板アプリケーションソフトウエアがこれらの機器と共に提供されている。
【００１９】
また、このアプリケーションソフトウエアは、黒板の役割をする画面を提供し、その上に手書き文字などをタッチパネルを介して描く機能や、このアプリケーションソフトウエアを提供するパソコン５０、５１の画面を取り込んで、その上に手書き情報を重畳して描く機能などのタッチパネルを介した手書機能が提供されている。具体的な製品事例では、例えばシャープ社の「ＢＩＧ  ＰＡＤ」（登録商標）、日立ソフトウェアエンジニアリング社の「スターボード」（登録商標）、及びパイオニア社の「サイバーカンファレンス」（登録商標）、が既に知られている。
【００２０】
このような手書き機能が動作する電子情報ボードを利用することにより、オフィスの会議シーン等において、説明のための表示資料を操作しながら、適宜画面上に直接指摘事項等の書き込みを行い、さらに必要に応じて書き込みを含む画面内容を記録することができる。その結果、会議終了時に画面内容を目視確認するのに再利用することで効率的に結論などをまとめることが期待できる。
以下、情報表示装置として、電子情報ボード、いわゆる電子黒板を例として説明するが、情報表示装置としては、タブレット端末等の電子黒板以外の表示装置でも実現可能である。
【００２１】
＜第１実施形態＞
図１は第１実施形態に係る情報表示装置に適用可能な電子黒板の電源制御装置の通常の待機状態の構成を表したブロック図である。
本実施形態に係る情報表示装置に適用可能な電子黒板の電源制御装置１Ａは、図示しないＰＣ（情報処理装置）により操作可能な電子黒板の電源制御装置１Ａである。
【００２２】
ディスプレイモジュール（ＬＣＤ＿Ｍｄ）１０は、ディスプレイに表示する画像データ（画像情報）の書き込み／読み出しを制御する。
電源ユニット１２は、シャットダウン電源１４と、通常電源１５とを備えている。シャットダウン電源１４は、リレー回路１６が接状態のときに供給される交流電力を直流電力（第１直流電力）に変換し、該直流電力をＰＣコントローラ部２に供給する。例えば、シャットダウン電源１４は、シャットダウン処理が必要な回路に直流電力を供給する。
通常電源１５は、ＡＣ＿ＳＷ（手動スイッチ）１７が接状態のときに供給される交流電力を直流電力（第２直流電力）に変換し、該直流電力をＰＣコントローラ部２を除く回路に供給する。
【００２３】
ＰＣコントローラ部（制御手段）２は、シャットダウン電源１４から供給される直流電力により駆動される。ＰＣコントローラ部２は、起動中にＡＣ＿ＳＷ１７が断状態になった場合に、シャットダウン処理を行うように制御し、該シャットダウン処理が終了したときにリレー回路１６を断状態とするように制御する。ＰＣ電源ボタン（制御電源断接手段）９は、ＰＣコントローラ部２への直流電力の断接状態を指示する。リレー回路（断接手段）１６は、インレット１８からシャットダウン電源１４へ供給される交流電力を断接する。ＡＣ＿ＳＷ（手動スイッチ）１７は、インレット１８から通常電源１５へ供給される交流電力を断接する。
【００２４】
ＡＣ＿ＳＷ１７とリレー回路１６は、インレット１８に接続されており、インレット１８を介して交流電源（図示しない）から交流電力が供給されている。また、リレー回路１６を起動するために、ＯＲ回路１３が接続され、ＰＣコントローラ部２から出力されるリレー制御信号６とＡＣ＿ＳＷ１７から出力される電源状態検知信号１９の論理積により制御される。図１では論理「１」のときにリレー回路１６が動作することとする（以下、同様とする）。
【００２５】
また、ＰＣコントローラ部２、画像キャプチャーＭｄ７、及び外部ＩＦ８を含む構成を制御部２０とする。ＰＣコントローラ部２は、電子情報ボードの制御基板を表す。ＣＰＵ３はＰＣコントローラである。補助記憶装置５はＨＤＤやＳＳＤなどを表し、ここにアプリケーションソフトウエアや処理データが保存される。
【００２６】
ＲＡＭ４は、通常のＰＣ（パーソナルコンピュータ）と同様に主記憶装置として用いられる。また画像キャプチャーＭｄ７は電子情報ボードの特徴である、外部のＰＣなどの画面データを取り込むためのモジュールである。ＰＣ電源ボタン９はＰＣコントローラ部２の起動を開始するためのボタンである。
【００２７】
ＬＣＤ＿Ｍｄ１０はディスプレイの画面を制御するためのモジュールである。ＰＣコントローラ部２からの映像信号１１がこのＬＣＤ＿Ｍｄ１０に入力されて画像データが表示される。また電源ユニット１２はシャットダウン電源１４と通常電源１５の２系統をもち、シャットダウン電源１４はリレー回路１６経由し、通常電源１５はＡＣ＿ＳＷ１７経由してインレット１８を介して交流電源と接続するものとする。
【００２８】
ＣＰＵ３からはリレー制御信号６が出力されており、ＯＲ回路１３に接続している。またＡＣ＿ＳＷ１７はＣＰＵ３と電源状態検知信号１９で接続されており、これによりＣＰＵ３はＡＣ＿ＳＷ１７がＯＦＦかＯＮかを検知することができる。またこの電源状態検知信号１９は途中で分岐してＯＲ回路１３の一方の入力となる。この電源状態検知信号１９とリレー制御信号６の論理和により、リレー回路１６を制御することとする。
【００２９】
また図１では画像キャプチャーＭｄ７は、リレー回路１６からの電源供給となっているが、画像キャプチャーＭｄ７はシャットダウン処理が不必要なモジュールであるため、ＡＣ＿ＳＷ１７からの直流電源を供給するように構成してもよい。
【００３０】
以下、図５の状態遷移図に基づいて図２から図４までの図の説明をする。図５は図１から図４に示した状態の状態遷移を表した図である。
図２は第１実施形態に係る情報表示装置に適用可能な電子黒板の電源制御装置のＡＣ＿ＳＷをＯＮした直後の状態を表したブロック図である。図２に示すハッチング部分（制御部２０）は通電していないことを示す（以下の図でも同様のことを表すものとする）。
【００３１】
電源ＯＦＦ状態（図５のＳ１）から図２に示すように、ＡＣ＿ＳＷ１７をＯＮにした直後（図５の遷移３０）は、ＡＣ＿ＳＷ１７から交流電力が通常電源１５に供給される。そして、通常電源１５から直流電力がＬＣＤ＿Ｍｄ１０に供給される（図５のＳ２）。なお、通常電源１５から画像キャプチャーＭｄ７に直流電力を供給するように構成してもよい。
【００３２】
図３は第１実施形態に係る情報表示装置に適用可能な電子黒板の電源制御装置のＡＣ＿ＳＷがＯＮでＰＣコントローラ部が起動していない状態を表したブロック図である。図２でＡＣ＿ＳＷ１７がＯＮすると、このとき電源状態検知信号１９は「１」の状態であり、リレー制御信号６は「０」の状態であるため、ＯＲ回路１３の出力は「１」になる（図５の遷移３１の自動移行）。
【００３３】
これにより、リレー回路１６がＯＮされ、シャットダウン電源１４が起動して制御部２０に電力を供給して図３に示す状態に移行する（図５のＳ３）。なお、リレー回路１６がＯＮされる前にＡＣ＿ＳＷ１７がＯＦＦされると電源ＯＦＦの状態に戻る。
この状態からＰＣ電源ボタン９を押すことにより（図５の遷移３２）図１に示すＰＣ起動状態に移行する（図５のＳ４）。またオペレーションシステム（ＯＳ）などによるシャットダウン処理を行うことで（図５の遷移３３）、図１に示す状態から図３に示す状態に移行する。
【００３４】
図３に示す状態でＡＣ＿ＳＷ１７がＯＦＦされた場合（図５の遷移３５）、電源状態検知信号１９の値が「０」になるとＯＲ回路１３の出力も０になるため、リレー回路１６がすぐにＯＦＦされる（図５のＳ１）。またこの状態ではＰＣからの映像信号がこないため、ディスプレイの表示はＯＦＦされる。
リレー回路１６は、ＡＣ＿ＳＷ１７、及び／又は、ＰＣコントローラ部２により制御されることで、シャットダウン電源１４のＯＦＦ制御を行えるように構成できる。
【００３５】
図４は第１実施形態に係る情報表示装置に適用可能な電子黒板の電源制御装置のＰＣコントローラ部が起動しているときに、ＡＣ＿ＳＷ１７がＯＦＦされた場合のシャットダウン処理時の動作を表したブロック図である。図４に示すようにＡＣ＿ＳＷ１７がＯＦＦされると（図５の遷移３４）、電源状態検知信号１９によりＣＰＵ３に伝えシャットダウン処理を開始する。
【００３６】
このときＯＲ回路１３の出力はリレー制御信号６が「１」であるのでその出力も「１」のままなので、リレー回路１６は接状態となり導通している。
ＰＣコントローラ部２はシャットダウン処理が行われたことを検知しているので、補助記憶装置５内のデータやＲＡＭ４に記憶されているデータをセーブし、シャットダウン処理が終了した後にリレー制御信号６を「０」にする。
【００３７】
この結果（図５の遷移３７）、ＯＲ回路１３の出力を０にし、リレー回路１６をＯＦＦにして電源ＯＦＦ状態に移行する（図５のＳ１）。リレー回路１６がＯＦＦされると、シャットダウン電源１４が停止し、ＰＣコントローラ部２へ供給されていた直流電力が停止する。
【００３８】
このように、シャットダウン電源１４は、交流電力を断接するリレー回路１６が接状態のときに供給される交流電力を直流電力に変換し、該直流電力をＰＣコントローラ部２に供給する。そして、通常電源１５は、交流電力を断接するＡＣ＿ＳＷ１７が接状態のときに供給される交流電力を直流電力に変換し、該直流電力をＰＣコントローラ部２を除く回路手段に供給する。ＰＣコントローラ部２は、起動中にＡＣ＿ＳＷ１７が断状態になった場合に、シャットダウン処理を行うように制御し、該シャットダウン処理が終了したときにリレー回路１６を断状態とするように制御する。これにより、シャットダウン処理を行う場合でも、退避データの保存を確実に行うことができ、かつ、リレーの電流容量を大幅に低減することによりリレー本体やリレー回路を小型化することができ、シャットダウン処理時の全体の消費電力を低減することができる。
【００３９】
なお、ＰＣコントローラ部２は、ＡＣ＿ＳＷ１７がＯＦＦされたことにより起動中に通常電源１５がシャットダウンとなった場合、このシャットダウン状態をＲＡＭ４に記憶しておことも可能である。次回、通常電源１５を起動した際に、ＲＡＭ４からシャットダウン処理を行ったこと読み出し、シャットダウン処理を行ったことを示すテキストメッセージをディスプレイモジュール（ＬＣＤ＿Ｍｄ）１０に表示することでユーザに報知するように構成してもよい。
このように、ＰＣコントローラ部２は、起動中にＡＣ＿ＳＷ１７が断状態になった場合に、シャットダウン状態をＲＡＭ４に記憶するように制御し、次回、通常電源１５を起動した際に、シャットダウン処理を行ったことを報知する。これにより、手動操作によりシャットダウン処理に移行したことを次回使用時に確認することができる。
【００４０】
＜第２実施形態＞
図６は第２実施形態に係る情報表示装置に適用可能な電子黒板の電源制御装置のブロック図である。図６が図１から図４の第１実施形態と異なる点は、電源制御装置１Ｂはウォッチドッグ信号２１とリレー制御信号６をＡＮＤ回路２２に入力することで、その先のＯＲ回路１３を制御することである。
【００４１】
即ち、ＣＰＵ３は、オペレーションシステムの管理の元に実行されている各アプリケーションソフトウエアに定期的に信号を送出させるウォッチドッグタイマを備えている。シャットダウン処理中にアプリケーションソフトウエアがハングアップした場合、ウォッチドッグタイマからのウォッチドッグ信号２１により、リレー回路を断状態とする。
ウォッチドッグ信号２１はＣＰＵ３が正常に動作していれば、通常時は「１」の状態であり、ＣＰＵ３がハングアップした際に「０」を出力するので、ＡＮＤ回路２２の出力が「０」になったことがＯＲ回路１３へ入力される。
【００４２】
この結果、シャットダウン処理時にＣＰＵ３がハングアップしてリレー制御信号６が「１」状態のままになった場合でも、ウォッチドッグ信号２１が「０」になり、ＯＲ回路１３の出力を強制的に「０」にする。この結果、リレー回路１６をＯＦＦにしてシャットダウン電源１４を切ることができる。
【００４３】
このように、ＰＣコントローラ部２は、オペレーションシステムＯＳの管理の元に実行されているアプリケーションソフトウエアに定期的に信号を送出させるウォッチドッグタイマを備える。そして、ＰＣコントローラ部２は、アプリケーションソフトウエアがシャットダウン処理中にハングアップした場合に、ウォッチドッグタイマからの信号によりリレー回路１６を断状態とするように制御する。これにより、アプリケーションソフトウエアがシャットダウン処理中にハングアップした場合でも、シャットダウン処理を行うことができ、ＰＣコントローラ部２を停止することができる。
【００４４】
図７は本実施形態の電子黒板の電源制御装置の起動状態の動作を説明するためのフローチャートである。まず電源ＯＦＦ状態からＡＣ＿ＳＷ１７をＯＮにすると（Ｓ１０、Ｙ）、電源状態検知信号１９が「０」から「１」に変化する（Ｓ１１）。
そして、通常電源１５がＯＮして（Ｓ１２）、通常電源１５に接続されているＬＣＤ＿Ｍｄ１０（通常電源１５から画像キャプチャーＭｄ７に直流電力を供給するように構成してもよい）に直流電力が供給される（Ｓ１３）。
【００４５】
電源状態検知信号１９はＯＲ回路１３の一方の入力に接続されているので、ＯＲ回路１３の出力を「０」から「１」に変化させる（Ｓ１４）。それによりリレー回路１６が起動し（Ｓ１５）、それによりシャットダウン電源１４を起動する（Ｓ１６）。その結果、制御部２０に電力を供給すると共に（Ｓ１７）、画像キャプチャーモジュール７を起動する（Ｓ１８）。
【００４６】
この状態からＰＣ電源ボタン９が押されると（Ｓ１９、Ｙ）、ＰＣコントローラ部２が起動し（Ｓ２０）、それにより電源状態検知信号１９の信号が「１」であることを検知するとリレー制御信号６を「０」から「１」に変化させる（Ｓ２１）。その結果、リレー回路１６の動作を保持してＰＣコントローラ部２を起動状態に維持する（Ｓ２２）。
【００４７】
図８は本実施形態の電子黒板の電源制御装置のシャットダウン状態の動作を説明するためのフローチャートである。図７の起動状態からＡＣ＿ＳＷ１７がＯＦＦされると（Ｓ３０）。電源状態検知信号１９が「１」から「０」に変化する（Ｓ３１）。そして通常電源１５がＯＦＦして（Ｓ３２）、それに接続されているＬＣＤ＿Ｍｄ１０の電源がＯＦＦする（Ｓ３３）。
【００４８】
ＰＣコントローラ部２は電源状態検知信号１９が「１」から「０」に変化したことを検知すると、シャットダウン処理（データのバックアップ、保存等の処理）を実行する（Ｓ３４）。シャットダウン処理が終了すると（Ｓ３５、Ｙ）、リレー制御信号６を「１」から「０」に変化させる（Ｓ３６）。
【００４９】
その結果、ＯＲ回路の入力はともに「０」となり、出力が「０」となるので、リレー回路１６をＯＦＦにする（Ｓ３７）。それにより、シャットダウン電源１４がＯＦＦとなり（Ｓ３８）、画像キャプチャーモジュール７もＯＦＦとなる（Ｓ３９）。また、ＰＣコントローラ部２もＯＦＦとなる（Ｓ４０）。
【００５０】
このように、シャットダウン処理を実行するために必要な回路のみに対してリレー回路１６、シャットダウン電源１４により直流電力を供給し、シャットダウン処理が不必要なその他の回路に関しては別の系統である通常電源１５により直流電力を供給する。これにより、リレー回路１６上を流れる電流を減らすことでリレー回路の構成を省電力型の構成に変更することができ、リレー回路のハードウエア構成をコストダウンすることができる。
【００５１】
このように、ＰＣコントローラ部２は、外部から画像情報を取り込む画像キャプチャーモジュール７（画像取得手段）を備える。そして、ＰＣコントローラ部２は、画像キャプチャーモジュール７に供給される直流電力をＡＣ＿ＳＷ１７により断接することで、シャットダウン処理が不必要な画像キャプチャーモジュール７を手動操作により直接停止することができる。この結果、リレー回路１６の電流容量を低減するように構成することができる。
【００５２】
このように、画像キャプチャーモジュール７により取り込んだ画像情報を表示するＬＣＤ＿Ｍｄ１０（表示手段）を備える。そして、通常電源１５をＬＣＤ＿Ｍｄ１０に供給することで、シャットダウン処理が不必要なＬＣＤ＿Ｍｄ１０を手動操作により直接停止することができる。この結果、リレー回路１６の電流容量を低減するように構成することができる。
【００５３】
このように、シャットダウン電源１４からＰＣコントローラ部２へ供給される直流電力の断接状態を指示するＰＣ電源ボタン９（制御電源断接指示手段）を備える。そして、ＰＣコントローラ部２は、ＰＣ電源ボタン９が断状態になったときにシャットダウン処理を行うように制御することで、ＰＣ電源ボタン９を手動操作によりシャットダウン処理を行うことができる。
なお、ＡＣとは家庭用または業務用の電源コンセントから供給される交流電源のことであり、ＳＷとは電流のオン/オフを切り替える部品であり、本発明で用いるＳＷは機械的開閉によりＯＦＦ／ＯＮを制御するものである。
【符号の説明】
【００５４】
２…ＰＣコントローラ部、３…ＣＰＵ、４…ＲＡＭ、５…補助記憶装置、６…リレー制御信号、７…画像キャプチャーモジュール、９…ＰＣ電源ボタン、１１…映像信号、１２…電源ユニット、１３…ＯＲ回路、１４…シャットダウン電源、１５…通常電源、１６…リレー回路、１７…ＡＣ＿ＳＷ、１８…インレット、１９…電源状態検知信号、２０…制御部、２１…ウォッチドッグ信号、２２…ＡＮＤ回路
【先行技術文献】
【特許文献】
【００５５】
【特許文献１】特開２０１１−０６０１７８号公報
【図１】
2014225190.tif 000003
【図２】
2014225190.tif 000004
【図３】
2014225190.tif 000005
【図４】
2014225190.tif 000006
【図５】
2014225190.tif 000007
【図６】
2014225190.tif 000008
【図７】
2014225190.tif 000009
【図８】
2014225190.tif 000010
【図９】
2014225190.tif 000011